(57)【要約】【課題】時間が経過したり、髪が水に濡れたりしてもきれいな横波ウェーブ状態を長期に亘って維持できる新規な横波ウェーブパーマ方法の提供。【解決手段】頭髪を複数のブロックに分け、各ブロックの毛束ごとにパーマをかけるパーマ方法であって、前記各毛束をパネル状に伸ばして把持し、その途中から毛先に亘ってペーパーで覆う第１工程と、前記ペーパーで覆った部分よりも根元側の毛束を左右に分けてループを形成する第２工程と、前記毛束の内側に、これと直交するようにロッドをあてがってから前記ペーパーで覆った部分の毛束を前記ループを通過させてそのロッドに巻き付けて固定する第３工程とを含む。【選択図】図３
2017000305.tif 000002
【特許請求の範囲】
【請求項１】
頭髪を複数のブロックに分け、各ブロックの毛束ごとにパーマをかけるパーマ方法であって、
パーマ液を塗布してから、あるいは塗布する前に、前記各毛束をパネル状に伸ばして把持し、その途中から毛先に亘ってペーパーで覆う第１工程と、
前記ペーパーで覆った部分よりも根元側の毛束を左右に分けてループを形成する第２工程と、
前記毛束の内側に、これと直交するようにロッドをあてがってから前記ペーパーで覆った部分の毛束を前記ループを通過させてそのロッドに巻き付けて固定する第３工程とを含むことを特徴とする横波ウェーブパーマ方法。
【請求項２】
頭髪を複数のブロックに分け、各ブロックの毛束ごとにパーマをかけるパーマ方法であって、
パーマ液を塗布してから、あるいは塗布する前に、前記各毛束をパネル状に伸ばして把持し、その途中から毛先に亘ってペーパーで覆う第１工程と、
前記ペーパーで覆った部分よりも根元側の毛束を左右に分けてループを形成する第２工程と、
前記毛束の外側に、これと直交するようにロッドをあてがってから前記ペーパーで覆った部分の毛束を前記ループを通過させてそのロッドに巻き付けて固定する第３工程とを含むことを特徴とする横波ウェーブパーマ方法。
【請求項３】
頭髪を複数のブロックに分け、各ブロックの毛束ごとにパーマをかけるパーマ方法であって、
パーマ液を塗布してから、あるいは塗布する前に、前記各毛束をパネル状に伸ばして把持し、その途中から毛先に亘ってペーパーで覆う第１工程と、
前記ペーパーで覆った部分よりも根元側の毛束を左右に分けてループを形成する第２工程と、
前記毛束の外側に、これと直交するように第１のロッドをあてがってから前記ペーパーで覆った部分の毛束を前記ループを通過させてその第１のロッドに巻き付ける第３工程と、
前記ループを通過した毛束の内側に、これと直交するように第２のロッドをあてがってから前記毛先部分をその第２のロッドに巻き付ける第４工程と、を含むことを特徴とする横波ウェーブパーマ方法。
【発明の詳細な説明】
【技術分野】
【０００１】
本発明は、主に女性向けの頭髪のパーマ方法に係り、特に横波ウェーブと称される髪型を作成するための横波ウェーブパーマ方法に関するものである。
【背景技術】
【０００２】
従来、女性のヘアースタイルの１つとして、横波ウェーブと称される髪型が知られている。この横波ウェーブは、頭頂部から頭側面に亘って延びる髪のうち、主に頭側面から下の部分の髪の毛を一定の束ごとに上下方向に波立たせるように加工したものであり、天然パーマのような無雑作感が魅力のヘアースタイルとなっている。
【０００３】
また、従来の毛髪パーマ方法としては、例えば以下の特許文献１乃至３に示すようなものが知られている。特許文献１のパーマ方法は、円筒形のアイロン棒と熱伝播クリップを使用し、アイロン棒に毛髪の根元付近から巻き付けて熱カールを行うことで短時間で技量差なく確実にヘアー処理するというものである。また、特許文献２のパーマ方法は、パーマ液を塗布する前に頭髪を所望の形状に整えた状態で乾燥させることにより癖付けし、その後にパーマ用液を順に塗布することにより乾燥時に癖付けした頭髪の形状を固定するというものである。
【先行技術文献】
【特許文献】
【０００４】
【特許文献１】特開２００７−９００５５号公報
【特許文献２】特開２０１５−６３２０号公報
【発明の概要】
【発明が解決しようとする課題】
【０００５】
ところで、前述したような従来の横波ウェーブは、例えば美容院においてシャンプーやカットを終えた後に、美容師がカール用のヘアーアイロン（コテ）を用いて髪を交互にカールした状態でそれぞれ２００℃程度に加熱加工して作るようになっている。そのため、スタイリングしてから長時間が経過したり、洗髪などで髪の毛が濡れると、その横波ウェーブが消えてすぐに元の髪型（ストレート）に戻ってしまい、長持ちしないといった欠点がある。
【０００６】
また、ロッドに毛先から巻き付けてからパーマをかける方法によっても横波状のウェーブを得ることが可能であるが、この方法では毛先の部分に強くウェーブがかかり、根元部分はほぼストレート状態になるため、きれいな横波ウェーブが得られない。
【０００７】
そこで、本発明はこれらの課題を解決するために案出されたものであり、その目的は、時間が経過したり、髪が水に濡れたりしてもきれいな横波ウェーブ状態を長期に亘って維持できる新規な横波ウェーブパーマ方法を提供するものである。
【課題を解決するための手段】
【０００８】
頭髪を複数のブロックに分け、各ブロックの毛束ごとにパーマをかけるパーマ方法であって、パーマ液を塗布してから、あるいは塗布する前に、前記各毛束をパネル状に伸ばして把持し、その途中から毛先に亘ってペーパーで覆う第１工程と、前記ペーパーで覆った部分よりも根元側の毛束を左右に分けてループを形成する第２工程と、前記毛束の内側に、これと直交するようにロッドをあてがってから前記ペーパーで覆った部分の毛束を前記ループを通過させてそのロッドに巻き付けて固定する第３工程とを含むことを特徴とする横波ウェーブパーマ方法である。
【０００９】
このようなパーマ方法によれば、最初にロッドに巻いた部分にしっかりと内巻きウェーブ状のパーマがかかり、これより毛先に行くに従って徐々に緩やかな上下多段の横波ウェーブが形成される。そして、この横波ウェーブは、パーマ液による頭髪の化学反応によって形成されるため、時間が経過したり、髪が水に濡れたりしても簡単に元も状態に戻ることはなく、きれいな横波ウェーブ状態を長期に亘って維持できる。
【００１０】
第２の発明は、頭髪を複数のブロックに分け、各ブロックの毛束ごとにパーマをかけるパーマ方法であって、パーマ液を塗布してから、あるいは塗布する前に、前記各毛束をパネル状に伸ばして把持し、その途中から毛先に亘ってペーパーで覆う第１工程と、前記ペーパーで覆った部分よりも根元側の毛束を左右に分けてループを形成する第２工程と、前記毛束の外側に、これと直交するようにロッドをあてがってから前記ペーパーで覆った部分の毛束を前記ループを通過させてそのロッドに巻き付けて固定する第３工程とを含むことを特徴とする横波ウェーブパーマ方法である。
【００１１】
このようなパーマ方法によれば、最初にロッドに巻いた部分にしっかりと外巻きウェーブ状のパーマがかかり、これより毛先に行くに従って徐々に緩やかな上下多段の横波ウェーブが形成される。そして、第１の発明と同様に、この横波ウェーブは、パーマ液による頭髪の化学反応によって形成されるため、時間が経過したり、髪が水に濡れたりしても簡単に元も状態に戻ることはなく、きれいな横波ウェーブ状態を長期に亘って維持できる。
【００１２】
第３の発明は、頭髪を複数のブロックに分け、各ブロックの毛束ごとにパーマをかけるパーマ方法であって、パーマ液を塗布してから、あるいは塗布する前に、前記各毛束をパネル状に伸ばして把持し、その途中から毛先に亘ってペーパーで覆う第１工程と、前記ペーパーで覆った部分よりも根元側の毛束を左右に分けてループを形成する第２工程と、前記毛束の外側に、これと直交するように第１のロッドをあてがってから前記ペーパーで覆った部分の毛束を前記ループを通過させてその第１のロッドに巻き付ける第３工程と、前記第１のロッドに巻き付けられた毛束の毛先部分の内側に、これと直交するように第２のロッドをあてがってから前記毛先部分をその第２のロッドに巻き付ける第４工程と、を含むことを特徴とする横波ウェーブパーマ方法である。
【００１３】
このようなパーマ方法によれば、最初にロッドに巻いた部分にしっかりと外巻きウェーブ状のパーマがかかり、これより毛先に行くに従って徐々に緩やかな上下多段の横波ウェーブが形成され、毛先が内側に向くようになる。そして、第１および第２の発明と同様に、この横波ウェーブは、パーマ液による頭髪の化学反応によって形成されるため、時間が経過したり、髪が水に濡れたりしても簡単に元も状態に戻ることはなく、きれいな横波ウェーブ状態を長期に亘って維持できる。
【発明の効果】
【００１４】
本発明によれば、最初にロッドに巻いた部分にしっかりとウェーブ状のパーマがかかり、これより毛先に行くに従って徐々に緩やかな上下多段の横波ウェーブが形成される。そして、この横波ウェーブは、パーマ液による頭髪の化学反応によって形成されるため、時間が経過したり、髪が水に濡れたりしても簡単に元も状態に戻ることはなく、きれいな横波ウェーブ状態を長期に亘って維持できるといった優れた効果を発揮する。
【図面の簡単な説明】
【００１５】
【図１】本発明に係る横波ウェーブパーマ方法の実施の一形態を示すフローチャート図である。
【図２】典型的な横波ウェーブのヘアスタイルの一例を示したものである。
【図３】図１中ステップ２００の詳細な流れを示すフローチャート図である。
【図４】本発明に係る横波ウェーブパーマを施す前のヘアスタイルを示す図である。
【図５】あるブロックの毛束Ｐを摘んでパネル状にした状態を示す図である。
【図６】図５の状態からその毛束Ｐ中間から毛先部分をペーパー１０で覆った状態を示す図である。
【図７】図６の状態からその毛束ＰにループＬを形成すると共に、その毛束Ｐの内側にロッド２０をあてがった状態を示す図である。
【図８】図７の状態からその毛束Ｐをロッド２０に巻き始めた状態を示す図である。
【図９】図８の状態からその毛束Ｐの毛先側をループＬに通過させた状態を示す図である。
【図１０】図９の状態からその毛束Ｐの毛先側を延ばした状態を示す図である。
【図１１】図１０の状態からその毛束Ｐの毛先側をすべてそのループＬを通過させた状態でロッド２０に巻き付けた状態を示す図である。
【図１２】同様な方法で２つめのロッド２０に隣接する毛束Ｐを巻き付けた状態を示す図である。
【図１３】（Ａ）は従来のパーマ方法のうち毛先巻き（平巻き）を示す図であり、（Ｂ）は中間巻き（平巻き）を示す図である。
【図１４】（Ａ）は従来のパーマ方法のうち根元巻き（平巻き）を示す図であり、（Ｂ）は毛先巻き（縦巻き）を示す図である。
【図１５】（Ａ）は従来のパーマ方法のうち中間巻き（縦巻き）を示す図であり、（Ｂ）は根元巻き（縦巻き）を示す図である。
【図１６】本発明に係る横波ウェーブパーマ方法の実施の一形態を示すフローチャート図である。
【図１７】本発明に係る横波ウェーブパーマ方法の実施の一形態を示すフローチャート図である。
【図１８】（Ａ）は内巻きの場合の最初のウェーブの状態を示し、（Ｂ）は外巻きの場合の最初のウェーブの状態を示したものである。
【図１９】本発明に係る横波ウェーブパーマ方法の実施の一形態を示すフローチャート図である。
【発明を実施するための形態】
【００１６】
次に、本発明の実施の形態を添付図面を参照しながら説明する。図１は本発明に係る横波ウェーブパーマ方法の流れの一例を示すフローチャート図、図２は横波ウェーブのヘアスタイルを示したものである。先ず、図２に示すようにこのヘアスタイル（横波ウェーブ）は、頭髪の長さが肩までのセミロングまたはそれ以上の長さのロングの人を主な対象とする。図はセミロングの場合の横波ウェーブの一例を示したものである。
【００１７】
図示するようにこのヘアスタイルは、頭髪が頭頂部から側頭部に亘ってはほぼストレート状態となっているが、側頭部の上部に大きく隆起（図中Ａ部）またはその反対に凹む（図中Ｂ部）ような最初のウェーブ（第１ウェーブ）を有し、その下方に向かってほぼ同じ曲率で且つ反対方向にカールした第２、第３…のウェーブ（図中Ｃ乃至Ｅ）が上下多段に形成され、毛先部分（図中Ｆ部）が内側または外側に向くようにカールされた状態となっている。
【００１８】
このような横波ウェーブを形成するために本発明は、先ず図１のステップＳ１００およびＳ２００に示すように頭髪を一定の領域ごとに複数のブロック（毛束）に分けて各毛束をロッドに巻き付け、固定する。具体的には、図４および図５に示すように最初に必要なシャンプーやカットをした後に、その一部のブロック（図の例では左側頭部の前側上部）の毛束Ｐを摘んでパネル状に真っ直ぐに伸ばして把持する（図３のステップＳ２０１）。
【００１９】
次に、図６に示すようにパネル状に伸ばした毛束Ｐのその略中間部分から毛先部分をペーパー１０で覆ってばらけないように纏める（ステップＳ２０３）。なお、このペーパー１０はその部分全体を覆える大きさであれば、通常のコールドパーマ用のものをそのまま用いることができる。次に、このようにして毛束Ｐの毛先側をペーパー１０で覆ったならば、図７に示すようにその毛束Ｐの内側であって、ペーパー１０の上端付近にその毛束Ｐの長手方向と直交するようにロッド２０をあてがうと共に、そのロッド２０よりも根元側の毛束Ｐを指先などによってその略中央から左右に分けてループＬを形成する（ステップＳ２０５）。
【００２０】
次に、このようにしてループＬが形成されたならば、図８および図９に示すように、そのペーパー１０で覆われた部分の毛束Ｐを、そのループＬ内を通過するようにそのロッド２０に巻き付ける。ループＬを通過した毛先部分は、図１０に示すようにそのロッド２０に１回巻き付けられた状態になっているため、さらにその先端を引っ張りながらそのロッド２０を回転させて根元側の所望の位置に移動させる（ステップＳ２０７）。
【００２１】
そして、そのロッド２０よりも根元側の毛束Ｐに再びループＬを形成してその毛束Ｐを毛先まで全てそのロッド２０に巻き付ける。この巻き付け数は、毛束Ｐの長さやロッド２０の太さ、形成するウェーブの大きさなどによって異なるが、少なくとも２回、通常は３〜４回程度が好ましい。このようにして毛束Ｐを全てそのロッド２０に巻き付けたならば、図１１に示すようにそのロッド２０に輪ゴム３０をかけて毛束Ｐがロッド２０から外れないように固定する（ステップＳ２０９）。なお、このロッド２０および輪ゴム３０も通常のコールドパーマ用のものをそのまま用いることができる。
【００２２】
このようにして最初のブロックの毛束Ｐをロッド２０に巻き付けたならば、図１２に示すように他のブロックの毛束Ｐに対しても同様な処理を行う（図１のステップＳ３００）。このときのロッド２０の数は、分割したブロック（毛束Ｐ）の数によるが、例えば側頭部の上下方向については２〜３段、側頭部の周方向については４〜５列程度が典型的なものと考えられる。
【００２３】
全てのブロックの毛束Ｐに対してロッド２０を巻き付けらならば、図１に示すように通常のコールドパーマ液の酸化剤となる第１剤を各ロッド２０に巻き付けられた毛束Ｐに対してまんべんなく塗布し（ステップＳ４００）、５〜１５分程度放置した後、同じく還元剤となる第２剤をまんべんなく塗布して（Ｓ５００）から、さらに５〜１５分程度放置する。その後、所定時間経過したならば、通常のコールドパーマの場合と同様に、全てのロッド２０を取り外して、洗髪やトリートメントなどを施した後、乾燥（ドライ）させる。
【００２４】
これによって図２に示すように最初にロッド２０に巻いた部分にしっかりと内巻きウェーブ状のパーマがかかり、これより毛先に行くに従って徐々に緩やかな上下多段のきれいな横波ウェーブが形成される。そして、この横波ウェーブは、パーマ液による頭髪の化学反応によって形成されるため、時間が経過したり、髪が水に濡れたりしても簡単に元の状態に戻ることはなく、きれいな横波ウェーブ状態を長期に亘って維持できる。
【００２５】
このような横波ウェーブは、従来のパーマ方法では得ることができない。すなわち、従来のウェーブパーマは、図１３乃至図１５に示すような、いわゆる平巻きまたは縦巻きというものによって行われるが、これらの従来の巻き方ではきれいな横波ウェーブが得られない。つまり、図１３（Ａ）のように平巻きのうち、毛先方向から順にロッドに巻き付ける巻き方（毛先巻き）では、図示するように毛先のカールが強くなって根元側のカールが緩やかになるため、均一な大きさのウェーブが得られない。
【００２６】
また、同図（Ｂ）に示すように平巻きのうち、毛束の中間から巻き始める中間巻きの場合は、髪の毛が重ならないように斜めに入れて巻く必要があるため、毛束が横よりのコイル状になってしまい、上下にきれいなウェーブができない。しかも、最初に巻いた毛束の中間部分のカールが最も強くなり、均一な大きさのウェーブが得られない。また、図１４（Ａ）に示すように平巻きのうち、毛束の根元側から巻き始める根元巻きの場合も、髪の毛が重ならないように斜めに入れて巻くため、同じく毛束が横よりのコイル状になってしまう。しかも、最初に巻いた毛束の根元部分のカールが最も強くなり、均一なウェーブが得られない。
【００２７】
さらに、図１４（Ｂ）乃至図１５（Ａ）、（Ｂ）に示すような縦巻きの場合もカールの大きさが異なってしまう上に、毛束がコイル状になってしまい、横波状態のウェーブが得られない。従って、従来のパーマ方法では、きれいな横波ウェーブを得ることができず、前述したようなカール用のヘアーアイロン（コテ）を用いた一時的な矯正方法しかなく、持続性に乏しい。本発明は、これら従来のパーマ方法では得ることができなかった横波ウェーブのパーマを可能としたものである。
【００２８】
次に、図１６乃至図２０は本発明に係る横波ウェーブパーマ方法の他の実施の形態を示したものである。前記実施の形態のパーマ方法によれば、パネル状の毛束Ｐの内側にロッド２０を位置させて巻く方法（内巻き）であるため、図２に示すように最初のウェーブが外側に膨らむようになる（同図Ａ部）。これに対して最初のウェーブが内側に凹むように（同図Ｂ部）したい場合には、図１６および図１７に示すようにパネル状の毛束Ｐの外側にロッド２０を位置させた状態で前記の例とは反対方向に巻いていけば良い（外巻き）。
【００２９】
図１８（Ａ）は、ロッド２０を毛束Ｐの内側に位置させた状態で巻いた場合（内巻き）のウェーブの状態を示したものであり、最初のウェーブＡが外側に膨らんだ状態となる。一方、図１８（Ｂ）は、ロッド２０を毛束Ｐの外側に位置させた状態で巻いた場合（外巻き）のウェーブの状態を示したものであり、最初のウェーブＢが内側に凹んだような状態となる。
【００３０】
また、このようなパーマ方法では、その巻き方向によってその毛先方向も影響されることから、毛先方向も調節したい場合には、図１９に示すように１つの毛束Ｐに対して２つのロッド（第１のロッド、第２のロッド）２０，２０を用いてそれぞれ反対方向に巻くようにしても良い。例えば、外巻きの場合は、図１８（Ｂ）に示すように毛先側が外側にはねるようにカールする（外はね）が、毛先側を内側に向けたい場合には、図１９に示すように２つめのロッド（第２のロッド）２０を用いて毛先側を内巻きにすれば良い。また、その反対の組合せももちろん可能である。さらに、これらの外巻きまたは内巻きの一方だけを採用しても良いが、内巻きと外巻きの両方を採用し、例えば、側頭部の上下方向または周方向に隣接するブロック（毛束）ごとに交互になるようにしても良い。
【００３１】
また、前述したようにウェーブの大きさや数などは、ロッドの太さやブロックの分割数（毛束Ｐの数）を変えることで容易にコントロールすることができる。また、本発明のパーマ方法は、コールドパーマだけでなく、デジタルパーマやクリップパーマ、エアーウェーブなども適用可能である。また、頭髪の長さはセミロングまたはロングだけでなく、ロッド２０を巻き付けることができれば、ショートヘアーにも適用できる。
【符号の説明】
【００３２】
１０…ペーパー
２０…ロッド
３０…輪ゴム
Ｐ…毛束（パネル）
Ｌ…ループ
【図１】
2017000305.tif 000003
【図２】
2017000305.tif 000004
【図３】
2017000305.tif 000005
【図４】
2017000305.tif 000006
【図５】
2017000305.tif 000007
【図６】
2017000305.tif 000008
【図７】
2017000305.tif 000009
【図８】
2017000305.tif 000010
【図９】
2017000305.tif 000011
【図１０】
2017000305.tif 000012
【図１１】
2017000305.tif 000013
【図１２】
2017000305.tif 000014
【図１３】
2017000305.tif 000015
【図１４】
2017000305.tif 000016
【図１５】
2017000305.tif 000017
【図１６】
2017000305.tif 000018
【図１７】
2017000305.tif 000019
【図１８】
2017000305.tif 000020
【図１９】
2017000305.tif 000021